Podtech/llm-jp-corpus-v4-ja_patent huggingface dataset:
(57)【要約】【課題】メモリーカードの端子クリーニング。【解決手段】基盤１構造を有するケース６及び蓋９は、ヒンジ１３で係合され、前記蓋９は開閉部２、開閉ストッパー１１を設け、内部天面及び側壁左右にメモリーカード収納ストッパー１２ａ、１２ｂ、１２ｃ、１２ｄを形成し、前記ケース６には、開閉ストッパー受け６、及びコーナーにハンドストラップ取付け孔７を形成、内部はクリーニング部材３（ブラシ等）を設け、メモリーカード４の端子５を下側に向けケース６内部にセットし、概メモリーカード４を指先で押しつけ、クリーニング部材３（ブラシ等）に前後にスライドさせクリーニングする。【選択図】図３
2008293936.tif 000002
【特許請求の範囲】
【請求項１】
メモリーカード端子をクリーニングする為のクリーナーであって、メモリーカードの端子面をクリーナー部材に押し当て、前後にスライドさせてクリーニングを行うことを特徴とし、前後へのスライド時にメモリーカードが左右へズレたり脱落せぬようメモリーカードの外郭サイズに合わせたサイドウォールを具備した基盤へ、ブラシ状のクリーニング部材を設けたこととを特徴としたメモリーカード端子クリーナー。
【請求項２】
上記クリーニング部材を、メモリーカードを収納するケース内に設けたことを特徴とした、請求項１記載のメモリーカード端子クリーナー。
【発明の詳細な説明】
【発明が属する技術分野】
【０００１】本発明は、メモリーカード端子クリーナーに関するものである。
【背景技術】
【０００２】ＰＣノートパソコン用に開発されたメモリーカードは、現在デジタルカメラ、デジタルオーディオプレーヤ、携帯電話、プレイステーション．ポータブル等の記憶媒体として利用されている。メモリーカードは、前記各種機器に設けられた専用スロットに挿入し使用するが、使用頻度によっては該スロット内部に設けたメモリーカードの端子と接合する端子受けの不具合（ほこり等に因る汚れ）を防止する為メモリーカードと同サイズのクリーニングカードがある。
【発明が解決しようとする課題】
【０００３】しかし、前記したようにスロット内部の端子受けが汚れるだけでなくメモリーカードの端子も汚れることは十分考えられ、常に最良の状態で各種機器を使用するには、スロットの端子受けも、メモリーカードの端子も定期的なクリーニングが望ましい、しかしメモリーカード端子は本体成形部よりも凹んで形成されており、且つ、幾つか配列された端子の長さ、位置も必ずしも一定ではない、これら条件の異なった端子全てを等しく隅々までクリーニングできるクリーナーは現在のところはない。
【課題を解決する手段】
【０００４】本発明は各種メモリーカードの端子をクリーニングする為に最適なブラシ状のクリーニング部材を適当な基盤、或いはメモリーカードを収納するケース内に設け、このクリーニング部材へメモリーカードの端子面が接触するよう上部より押し付けながら前後へスライドさせクリーニングを行う。
【０００５】前記クリーニング部材を設けた収納ケースには、メモリーカードをクリーニングする際に前後にスライドさせる為に必要な最小限のクリアランスを設けてある。
【発明の実施と形態】
【０００６】本発明の構成を図１〜３図によって説明する。
基盤１構造を有するケース６は、蓋９とヒンジ１３で係合され、前記蓋９は開閉部１０、開閉ストッパー１１を設け、内部天面及び側壁左右にメモリーカード収納ストッパー１２ａ、１２ｂ、１２ｃ、１２ｄを形成している。一方前記ケース６には、開閉ストッパー受け７、及びコーナーにハンドストラップ取付け孔８を形成、内部にはクリーニング部材３（ブラシ等）を設け、メモリーカード４をケース６に、又、他のメモリーカード４を蓋９に各々収納出来るように構成している。
【実施例】
【０００７】本発明の実施例を図１〜図３によって説明する。
メモリーカード４の端子５を下側に向けケース６内部にセットし、概メモリーカード４の上面を指先で押しつけ、クリーニング部材３（ブラシ等）に前後にスライドさせクリーニングする。
【発明の効果】
【０００８】特別複雑な構造を用さずにメモリーカード端子のクリーニングが簡単確実に出来ると同時に、収納ケース内へ該クリーニングの機能を設けることで、収納とクリーニングの二つの機能を併せ持った便利さを提供することが出来る。
【０００９】乾式湿式いずれのクリーニングも可能な為、汚れ具合の対応が出来、効果が高い。
【図面の簡単な説明】
【００１０】
【図１】本発明のメモリーカード端子クリーナーの基盤構造を示す斜視図。
【図２】本発明のメモリーカード端子クリーナーの基盤構造を示す縦断面図。
【図３】本発明のメモリーカード端子クリーナーを基盤構造を有したケースに設けた状態を示すワイヤフレーム斜視図。
【符号の説明】
【００１１】      １：基盤
２：サイドウォール
３：クリーニング部材（ブラシ等）
４：メモリーカード
５：端子
６：ケース
７：開閉ストッパー受け
８：ハンドストラップ取付け孔
９：蓋
１０：開閉部
１１：開閉ストッパー
１２ａ、１２ｂ、１２ｃ、１２ｄ：メモリーカード収納ストッパー
１３：ヒンジ
【図１】
2008293936.tif 000003
【図２】
2008293936.tif 000004
【図３】
2008293936.tif 000005
(57)【要約】【課題】従来のコード（電線）の被覆は材質が均質であるため、どの位置でも折り曲げ可能であった。それゆえの欠点として、もつれ・絡みが発生しやすかった。もつれ・絡みを少なくするため、あえて折り曲げの自由度を少なくしたコード（電線）を提供する。【解決手段】コード（電線）の被覆を、軟質被覆部１と硬質被覆部２の２種類とし、短区間の軟質被覆部１と長区間の硬質被覆部２を交互に配することにより、折り曲げ可能な部分を軟質被覆部１のみとする。【選択図】図１
2008293933.tif 000002
【特許請求の範囲】
【請求項１】
長区間の硬質被覆と、短区間の軟質被覆を、交互に配したコード（電線）。
【発明の詳細な説明】
【技術分野】
【０００１】本発明は、長区間の硬質被覆と、短区間の軟質被覆を、交互に配することにより、使用時に絡み・もつれを少なくし、また、収納を容易にすることを目的としたコード（電線）である。
【背景技術】
【０００２】従来、コード（電線）の被覆材料は均質であったため、どの位置でも折り曲げ可能であった。それゆえ、欠点として、使用時の絡み・もつれが課題でもあった。収納方法としては、リールに巻き取る方法が一般的であった。
【発明の開示】
【発明が解決しようとする課題】
【０００３】コード（電線）の使用時に絡み・もつれが発生し、作業効率の低下をきたす場面があった。本発明は、この課題を解消するためになされたものである。
【課題を解決するための手段】
【０００４】コード（電線）の被覆を、軟質被覆部１と硬質被覆部２の２種類とし、短区間の軟質被覆部１と長区間の硬質被覆部２を交互に配する。
【発明の効果】
【０００５】折り曲げ可能な部分を、軟質被覆部１に限定することにより、使用時に絡み・もつれを少なくできる。【０００６】また従来は、コード（電線）の収納には、リールの使用が多く見られた。この方法であると、展張・巻き取りに時間を要していた。本発明は、展張・収納が容易であり、また、収納時には紐等で結束する、あるいは、筒状のケースに入れる等で、リール使用の場合に比べ収納容積の節約にもつながるものである。
【図面の簡単な説明】
【０００７】
【図１】イヤホンコードを例とした多節コード（電線）の実施例である。
【符号の説明】
【０００８】１  軟質被覆部
２  硬質被覆部
【図１】
2008293933.tif 000003
(57)【要約】      （修正有）【課題】ＣＤ、ＤＶＤ等のディスクに粘着ラベルを貼り付けるときに、貼り付け器具を別途用意することなく粘着ラベル単体で正確な位置に貼り付けることが出来る粘着ラベルを提供する。【解決手段】２個の同心円で輪状の貼付ラベルを形成する切り込みを有するラベルシートと、その裏面に設けた接着剤と、接着剤を覆う剥離剤とを備えた、方形状の粘着ラベルにおいて、剥離紙４，５の一組の相対する２辺に平行で、かつ前記円の中心を基準に対称であって、剥離紙を二分する帯状剥離紙３を形成する一対の切れ込み１と、帯状剥離紙を剥離し、かつ輪状の貼付ラベル以外のラベルシートを剥がした状態で接着面をディスクのラベル貼付面に面するように載せたときにディスクと貼付ラベルとの位置関係を確認できるように、ディスクの外周部あるいは外周部よりわずかに内側を通る切れ込み２を左右対称に剥離紙に設けた。【選択図】図１
2008293626.tif 000002
【特許請求の範囲】
【請求項１】
ＣＤ、ＤＶＤ等のディスクのラベル貼付面に対応する２個の同心円で輪状の貼付ラベルを形成する切り込みを有するラベルシートと、その裏面に設けた接着剤と、該接着剤を覆う剥離剤とを備えた、方形状の粘着ラベルにおいて、
該剥離紙の一組の相対する２辺に平行で、かつ前記円の中心を基準に対称であって、剥離してディスクに載せたときに容易にラベル貼付面に接触しない程度の幅を有し、前記剥離紙を二分する帯状剥離紙を形成する一対の切れ込みと、該帯状剥離紙を剥離し、かつ輪状の貼付ラベル以外のラベルシートを剥がした状態で接着面をディスクのラベル貼付面に面するように載せたときにディスクと該貼付ラベルとの位置関係を確認できるように、ディスクの外周部あるいは外周部よりわずかに内側を通る切れ込みを、前記帯状剥離紙を形成する切り込みを基準に左右対称に剥離紙に有したことを特徴とする粘着ラベル。
【発明の詳細な説明】
【技術分野】
【０００１】  本考案は、ＤＶＤ、ＣＤ等のディスクに、貼付け器具を使用せずに、正確な位置に貼り付けることが出来る粘着ラベルに関する。
【背景技術】
【０００２】  従来のＤＶＤ、ＣＤ等のディスクに貼り付ける粘着ラベルは、ディスクに粘着ラベルを貼り付ける際に正確な位置に貼り付けるために、専用の貼り付け器具を必要としていた。
【発明の開示】
【発明が解決しようとする課題】
【０００３】  ＤＶＤ、ＣＤは高速で回転し、データを読み書きするため、重心バランスが正確に取れていないと読み書き不良を起こす。
粘着ラベルのような極軽量のものでも片寄って貼り付けてしまうと、バランスが崩れ、正常に回転しなくなる。
そのため、専用の貼り付け器具を使用して、粘着ラベルを正確な位置に貼り付けなくてはならない。
【課題を解決するための手段】
【０００４】  ＣＤ、ＤＶＤ等のディスクのラベル貼付面に対応する２個の同心円で輪状の貼付ラベルを形成する切り込みを有するラベルシートと、その裏面に設けた接着剤と、該接着剤を覆う剥離剤とを備えた、方形状の粘着ラベルにおいて、
該剥離紙の一組の相対する２辺に平行で、かつ前記円の中心を基準に対称であって、剥離してディスクに載せたときに容易にラベル貼付面に接触しない程度の幅を有し、前記剥離紙を二分する帯状剥離紙を形成する一対の切れ込みと、該帯状剥離紙を剥離し、かつ輪状の貼付ラベル以外のラベルシートを剥がした状態で接着面をディスクのラベル貼付面に面するように載せたときにディスクと該貼付ラベルとの位置関係を確認できるように、ディスクの外周部あるいは外周部よりわずかに内側を通る切れ込みを、前記帯状剥離紙を形成する切り込みを基準に左右対称に剥離紙に有したことを特徴とする粘着ラベル。
【発明の効果】
【０００５】  貼り付け器具を別途用意することなく、粘着ラベル単体で正確な位置に貼り付けることが出来る。
【発明を実施するための最良の形態】
【０００６】  以下、本発明の実施の形態について説明する。【０００７】  以下、添付図面に従って一実施例を説明する。
図１に示すように２種類の切り取り線を持つように剥離紙を作成する。
切り取り線１（１）に挟まれる剥離紙１（３）は、図３のように剥離紙１（３）を剥がした状態でＤＶＤ（１１）に載せたとき、図４の空間（１２）が保持でき、容易にＤＶＤ（１１）にラベル（８）が接触しないように数ミリ程度の幅とする。
剥離紙の厚みやラベルの材質などによりその幅は加減すべきである。
切り取り線２（２）は、図３のように剥離紙３（５）とラベル余白１（９）を剥がした状態でＤＶＤ（１１）に載せたとき、ラベル（８）の外周とＤＶＤ（１１）の位置関係を確認できるように、ラベル（８）の外周上、もしくは外周のわずかに内側を通るような位置に設定する。【０００８】  使用手順は、まず、剥離紙３（５）とラベル余白１（９）を剥がし取る。
ラベル余白２（１０）も剥がし取る。そして、剥離紙１（３）を剥がし取る。
次に、その状態でＤＶＤ（１１）に静かに載せる。その時、剥離紙１（３）を剥がした部分がＤＶＤ（１１）に接触して接着してしまわないように水平を保って載せる。図３のように、上下左右で、ラベル（８）からＤＶＤ（１１）がはみ出ている量が同じになるように位置を調整する。調整が出来たら剥離紙１（３）を剥がした部分をラベルの上から押さえ接着させる。これで位置がずれる事はなくなる。
最後に剥離紙２（４）を剥がして接着させる。
【図面の簡単な説明】
【０００９】
【図１】本考案の粘着ラベルの裏面図である。
【図２】本考案の粘着ラベルの正面図である
【図３】本考案の粘着ラベルをＤＶＤの上にあてがった実施正面図である。
【図４】本考案の粘着ラベルをＤＶＤの上にあてがった状態のＡ−Ａ断面図である
【図５】本考案の取り付け方法を示す斜視図である。
【符号の説明】
【００１０】    １  切り取り線１
２  切り取り線２
３  剥離紙１
４  剥離紙２
５  剥離紙３
６  切り取り線４
７  切り取り線５
８  ラベル
９  ラベル余白１
１０  ラベル余白２
１１  ＤＶＤ
１２  空間
【図１】
2008293626.tif 000003
【図２】
2008293626.tif 000004
【図３】
2008293626.tif 000005
【図４】
2008293626.tif 000006
【図５】
2008293626.tif 000007
(57)【要約】【課題】夜間の車両等による外灯ポール等への追突、接触の低減を図る点灯器具を、提供する。【解決手段】  無機ＥＬシートを絶縁物で挟み込み、それを用いて外灯その他のポール等に巻きつけることを、特徴とする。【選択図】図１
2008293459.tif 000002
【特許請求の範囲】
【請求項１】
無機ＥＬシートをプラスチック枠などを、用いて外灯などのポールに巻きつけて追突、接触などの防止、安全を図る点灯器具。
【発明の詳細な説明】
【発明の詳細な説明】
【技術分野】
【０００１】この発明は、車両などによる追突、接触を未然にふせぐための点灯器具に関するものである。
【背景技術】
【０００２】従来では、駐車場等などの外灯ポール自体が発光するものはなくポール自体、夜間目立たないため車両等による追突、接触が多く起こっている。
【発明が解決しようとする課題】
【０００３】イ・夜間、外灯その他のポール等が目立たないため多くの追突、接触が起こっている。
ロ・追突、接触等による補修、改修費が多くかかっている。
【課題を解決するための手段】
【０００４】無機ＥＬシートを絶縁物で挟み込み、それを用いて外灯その他のポール等に巻きつける。
本発明は、以上の構成よりなる点灯器具である。
【発明を実施するための最良の形態】
【０００５】以下、本発明の実施の形態を説明する。
（イ）一部分開口となっている、透明な円筒状の外枠（１）の内側に無機ＥＬシート（２）を設ける。
（ロ）無機ＥＬシート（２）の内側に絶縁物（３）を設ける。
本発明は、以上の構成よりなっている。
本発明を使用するときは、ポール等にはめ込み、インバーター（５）につなぎ込むことにより、ポール等自体の一部が発光しているように見える。
【発明の効果】
【０００６】  本発明を使用することによって、外灯その他のポール等を目立たせることにより車両等の追突、接触を低減するためのものであり、改修、補修費等の削減も出来る。
【図面の簡単な説明】
【図１】  本発明の斜視図
【図２】  本発明の分解斜視図
【図３】  本発明の断面図
【図４】  本発明の使用状態を示す斜視図
【符号の説明】
１  外枠
２  無機ＥＬシート
３  絶縁物シート
４  本発明品
５  無機ＥＬシート用インバーター
【図１】
2008293459.tif 000003
【図２】
2008293459.tif 000004
【図３】
2008293459.tif 000005
【図４】
2008293459.tif 000006
(57)【要約】【課題】      側部が開口する構成であっても釣用バック内から水漏れしない釣用バックを提供することである。【解決手段】  本体１が柔軟性を有する合成樹脂シ−トで略直方体状の横側（側部）が開口されたバック体に形成され、本体１の正面側の側部が開口された開口部１ｃとなっており、開口部１ｃに沿って周回する周壁１ｂの底部１ｂ−４および左右側部１ｂ−２、１ｂ−３の底部１ｂ−４側には、開口部１ｃから外方（前方）に突出する突出壁３が連続して形成されて突出壁３の突出端側（前端側）には蓋体４が一体的に連設され、開口部１ｃとこれに対向する蓋体４の周縁に互いに係合可能なチャック５が取り付けられて蓋体４はチャック５を開くことによって左右側部１ｂ−２、１ｂ−３側の突出壁３の上側で外側に折り曲げられて開くことが出来る。【選択図】        図１
2008136407.tif 000002
【特許請求の範囲】
【請求項１】
本体の側部に開口部を有する釣用バックにおいて、前記開口部の底部側に突出壁を設け前記突出壁に前記開口部を閉塞する蓋体を設けて前記蓋体を前記突出壁より上方で折り曲げて開閉自在とし、前記蓋体と前記開口部に互いに係合可能なチャックを設けたことを特徴とする釣用バック。
【発明の詳細な説明】
【技術分野】
【０００１】
本発明は、側部が開口する釣用バックでバックの底部側から水漏れが起こらないように構成した釣用バックの改良に関する。
【背景技術】
【０００２】
従来特許文献１のように、側部が開口する釣用バックが提案されているが、側部開口部の全周がチャックで閉じられる蓋で開閉される構成であると、釣用バック内に収納した物が濡れていると側部から水が漏れて一緒に置いた物が濡れてしまうことになる。
【特許文献１】特開２０００−２１７４８６号公報
【発明の開示】
【発明が解決しようとする課題】
【０００３】
解決しようとする問題点は、側部開口部の全周がチャックで閉じられる蓋で開閉される構成であると開口が広くて収納物の挿入と取り出しが容易になるが、釣用バック内に収納した物が濡れていると側部から水が漏れて一緒に置いた物が濡れてしまうことである。
【０００４】
本発明の目的は前記欠点に鑑み、側部が開口する構成であっても釣用バック内から水漏れしない釣用バックを提供することである。
【課題を解決するための手段】
【０００５】
本発明の請求項１は、本体の側部に開口部を有する釣用バックにおいて、前記開口部の底部側に突出壁を設け前記突出壁に前記開口部を閉塞する蓋体を設けて前記蓋体を前記突出壁より上方で折り曲げて開閉自在とし、前記蓋体と前記開口部に互いに係合可能なチャックを設けたことを要旨とするものである。
【発明の効果】
【０００６】
本発明により、蓋体のチャックを開くと大きな開口が出来るので、本体内に収納物の挿入と取り出しが容易になると共に、開口部の底部側に突出壁を設けたので水漏れが防止される。
【発明を実施するための最良の形態】
【０００７】
本体１が柔軟性を有する合成樹脂シ−トで形成され一体的に高周波加熱処理の溶着接合で略直方体状の横側（側部）が開口されたバック体に形成されたり、金型で略直方体状の横側（側部）が開口されたバック体に形成されている。
本体１は、背面側の側部１ａと、左右側部１ｂ−２、１ｂ−３、上部１ｂ−１、底部１ｂ−４を有する周壁１ｂからなり、正面側の側部が開口された開口部１ｃとなっており、開口部１ｃはフレ−ム２を巻き込んで外側に折り曲げられてＡ部で溶着されている。
本体１の開口部１ｃに沿って周回する周壁１ｂの底部１ｂ−４および左右側部１ｂ−２、１ｂ−３の底部１ｂ−４側には、開口部１ｃから外方（前方）に突出する突出壁３が連続して形成されている。
突出壁３の突出端側（前端側）には蓋体４が一体的に連設されている。
突出壁３と蓋体４は柔軟性を有する折り曲げ可能な合成樹脂シ−トで形成され開口部１ｃを閉じるように形成されている。
突出壁３の突出端側（前端側）に沿って蓋体４の一端側（下端側）が設けられ、本体１の開口部１ｃとこれに対向する蓋体４の周縁に互いに係合可能なチャック５が取り付けられている。
蓋体４はチャック５を開くことによって左右側部１ｂ−２、１ｂ−３側の突出壁３の上側で外側に折り曲げられて開くことが出来る。
【実施例１】
【０００８】
以下、図示の一実施例によって本発明を説明すると、図１は釣用バックの斜視図と要部拡大斜視図、図２は釣用バックの上半分の断面側面図と下半分の側面図と上半分の要部拡大断面側面図である。
【０００９】
釣用バックは、本体１が柔軟性を有する合成樹脂シ−トで形成され一体的に高周波加熱処理の溶着接合で略直方体状の横側（側部）が開口されたバック体に形成されたり、金型で略直方体状の横側（側部）が開口されたバック体に形成されている。
本体１は、背面側の側部１ａと、左右側部１ｂ−２、１ｂ−３、上部１ｂ−１、底部１ｂ−４を有する周壁１ｂからなり、正面側の側部が開口された開口部１ｃとなっており、開口部１ｃはフレ−ム２を巻き込んで外側に折り曲げられてＡ部で溶着されている。
本体１の開口部１ｃに沿って周回する周壁１ｂの底部１ｂ−４および左右側部１ｂ−２、１ｂ−３の底部１ｂ−４側には、開口部１ｃから外方（前方）に突出する突出壁３が連続して形成されている。
突出壁３の突出端側（前端側）には蓋体４が一体的に連設されている。
突出壁３と蓋体４は柔軟性を有する折り曲げ可能な合成樹脂シ−トで形成され開口部１ｃを閉じるように形成されている。
合成樹脂材料は、ＥＶＡ（エチレン酢酸ビニ−ル）、ＰＶＣ（ポリ塩化ビニ−ル）、ＰＥ（ポリエチレン）等防水性を有する材料が使用されている。
本体１の上部１ｂ−１には手下げハンドル１０が取り付けられている。
【００１０】
突出壁３の突出端側（前端側）に沿って蓋体４の一端側（下端側）が設けられ、本体１の開口部１ｃとこれに対向する蓋体４の周縁に互いに係合可能なチャック５が取り付けられている。
蓋体４はチャック５を開くことによって左右側部１ｂ−２、１ｂ−３側の突出壁３の上側で外側に折り曲げられて開くことが出来る。
【００１１】
釣用バックの本体１の中に水で濡れた靴などを入れても、本体１の横側に開いた開口部１ｃの内側に突出壁３が設けられているので、水が流出することがない。
【００１２】
前記のように釣用バックが構成されると、蓋体４のチャック５を開くと大きな開口が出来るので、本体１内に収納物の挿入と取り出しが容易になると共に、突出壁３の底部３ａ側が閉じているので、水漏れが防止される。
【産業上の利用可能性】
【００１３】
本発明は釣用バックの全般に利用できる。
【図面の簡単な説明】
【００１４】
【図１】釣用バックの斜視図と要部拡大斜視図である。
【図２】釣用バックの上半分の断面側面図と下半分の側面図と上半分の要部拡大断面側面図である。
【符号の説明】
【００１５】
１  本体
１ｃ  開口部
３  突出壁
３ａ  突出壁の底部
３ｂ  切欠き
４  蓋体
５  チャック
【図１】
2008136407.tif 000003
【図２】
2008136407.tif 000004
(57)【要約】【課題】  草取り作業の労力を軽減し、地面のダメージを抑える、楽な草取り用具を提供する。【解決手段】  湾曲形状の輪（１）に柄（３）を設け、前記湾曲形状の輪（１）の底辺部分を刃（２）に形成することを特徴とする、楽な草取り用具。【選択図】図１
2008136466.tif 000002
【特許請求の範囲】
【請求項１】
湾曲形状の輪に柄を設け、前記湾曲形状の輪の底辺部分を刃にすることを特徴とする、草取り用具。
【発明の詳細な説明】
【技術分野】
【０００１】  本発明は、草取り作業時の労働を軽減し、地面のダメージも軽減する、楽な草取り用具に関するものである。
【背景技術】
【０００２】  従来の草取り用具は、用具の形態上地面に当たる面積が幅広く、地面との摩擦も大きくその為に労力を要し、地面のダメージも大きい。
【発明の開示】
【発明が解決しようとする課題】
【０００３】  そのために、次のような問題点があった。
地面と用具の摩擦面積が幅広い為に、地面を削る労力が大きく、又地面のダメージ（地面の土の移動）も大きかった。
本発明は以上の問題点を解決しようとするものである。
【課題を解決するための手段】
【０００４】  湾曲形状の輪に柄を設け、前記湾曲形状の輪の底部分を刃に形成する。
この形態にすることで地面と草取り用具の摩擦面積を最少にし、労力が軽減され、地面のダメージ（地面の土の移動）を抑えることができる。
以上を特徴とする楽な草取り用具である。
【発明の効果】
【０００５】  本発明は、草取り作業が楽になり、地面のダメージ（地面の土の移動）を抑える。
【発明を実施するための最良の形態】
【０００６】  以下、本発明の実施の形態を説明する。
（イ）硬い素材で湾曲形状の輪（１）の底辺部分を刃（２）とする。
この際、湾曲形状とは、その外周面が外側方向へ膨む状態を指しており、例えば指    輪のそれに見られるような面を指す。
（ロ）上記の湾曲形状の輪（１）の上部に柄（３）を設置する。
なお、湾曲形状の輪（１）と柄（３）との接合は、取め付けネジなどにより固定的    にしてもよく、また、取り替え可能なように着脱自在の構造としてもよい。
本発明は以上の構成よりなっている。
本発明を使用するときは、草の根元部分をピンポイントに、刃（２）の部分を置き、柄（３）を引く。
すなわち地面を調理器具のピューラーの要領で削ることで草を取ることができる。
この湾曲形状の輪（１）であることが地面と用具の摩擦面を減らし、労力を軽減し、地面のダメージ（地面の土の移動）を抑えることを可能にする。
【図面の簡単な説明】
【０００７】
【図１】  本発明の斜視図
【図２】  本発明の分解斜視図
【図３】  本発明の使用状態を示す斜視図
【符号の説明】
【０００８】１  湾曲形状の輪
２  刃
３  柄
【図１】
2008136466.tif 000003
【図２】
2008136466.tif 000004
【図３】
2008136466.tif 000005
(57)【要約】【課題】    従来型にんにく醗酵装置は断熱庫内部の環境の均一が困難であり、十分に対応ができていなかった。又これらの条件の対応のため量産が出来なかった。【解決手段】    醗酵庫内部の空気、湿度環境に多少のばらつきがあっても、にんにく収納籠自体を回転させることにより、上記課題を解決、より質の高い製品の大量生産を可能にする。【選択図】なし【特許請求の範囲】
【請求項１】
生にんにくに乳酸菌酵母とＥＭ菌及びミネラル成分、例えばカルシウムを添加した５０００倍水溶液に漬け込んだ後、遠赤外線発熱温蔵庫において生にんにくを醗酵させることを特徴とする生にんにく醗酵装置。
【請求項２】
前記、前処理を終えた生にんにくを遠赤外線醗酵庫内において醗酵最適湿度に調整できる加湿センサー・及びその調整のための電磁弁を備えた加湿装置を装備したにんにく醗酵装置。
【請求項３】
前記、閉鎖庫内部の加熱空気を作る電熱による、灯油などによる又はガスなどによる加熱装置を備えたにんにく醗酵装置。
【請求項４】
前記、醗酵庫において醗酵中に発生するにんにく硫黄ガスによる悪臭を除去する脱臭装置を備えたにんにく醗酵装置。
【請求項５】
前記、醗酵庫において、均一な醗酵商品を製造する、均一空気調和条件を得るための装置として、水平方向に回転するにんにく収納設備を儲けた水平回転を特徴とするにんにく醗酵装置。
【請求項６】
前記、醗酵温蔵庫に同時に設備された、遠赤外線加熱装置、加湿装置、脱臭装置の各装置は、センサーにより温度、湿度の選択を行い夫々の装置に連結し、配電制御盤で操作することが可能なにんにく醗酵装置。
【発明の詳細な説明】
【技術分野】
【０００１】    本発明は、生にんにくの醗酵装置に関する。
【技術背景】
【０００２】    従来から、生にんにくを醗酵する手段として、断熱庫に公知の加熱装置、又は加湿装置を選択的に取り付け断熱庫内部に、にんにくを収納するキャスター付ラックを用いるなどして、醗酵していた。（例えば特許文献１参照）。
又、簡単な遠赤外線発生の蒸釜を利用して、にんにくを醗酵している。（例えば、特許文献２参照）
【０００３】  以下、図３、図４により、従来のにんにく醗酵装置について説明する。図３において１は断熱コンテナ庫で、熱源図２より供給する熱源口２によって過熱、対流口４によって温風を循環させ醗酵させている。
【０００４】  蒸し焼き釜、図４による場合においては、炊飯用電気釜を用いている。
【０００５】
【特許文献１】    特開２００４−１２１１１３公報
【特許文献２】    特開２００５−３４１９１２公報
【発明の開示】
【発明が解決しようとする課題】
【０００６】  生にんにくの醗酵においては、醗酵条件として選択された温度及び湿度、時間が必要であることと、産業用として提供されるためには、均一商品の量産が課題となってくる。又にんにくは醗酵が始まると強烈なにんにく臭気が発生するため、場所を選ばず醗酵するためには、臭いはクリアしなければならない大きな問題点である。
現時点の技術においては上記いずれも解決がなされていない。【０００７】  又、醗酵につき、均一な醗酵商品を製造するためには、醗酵庫内部の空調の均一及び湿度の均一が最も重要な醗酵条件であり、課題である。しかしながら、前記公開の技術においては、これらの重要課題を解決してはいない。このため均一商品の量産技術が待たれていた。【０００８】  本発明は、上記課題に鑑みてなされたものであり、均一醗酵商品の大量生産可能な、醗酵装置を提供することを目的とするものである。
【課題を解決するための手段】
【０００９】  本発明に係る醗酵装置は、醗酵熟成度及び味覚又は薬理成分の温存度において、１００％満足の得られる醗酵ニンニクの省力化、大量生産化を意図しており、発明者らは従来装置の固定観念にとらわれず、まず断熱閉鎖系醗酵庫に公知の加熱機器／又は加湿機器、及び新規開発のにんにく醗酵用脱臭装置を設備し、互いにセンサーなどで連動する配電盤により自動コントロールにより薬理成分、味覚などにおいて従来装置では不可能であったにんにく醗酵装置を完成するに至った。【００１０】  すなわち、本発明の醗酵装置は、にんにくを醗酵させる温度及び湿度を保つための、最適環境を維持できる位置に配置できるキャビネット（収容棚）とキャビネットを配列するにんにく収容断熱庫から構成されている。【００１１】  本発明は、前記従来工法の課題、すなわち醗酵庫内部空気調節の不具合、量産できない、脱臭が十分でないことを解決している。【００１２】  醗酵庫内部の空気調和については、本発明の最も特徴とする装置（図１）は、庫内の均一な空気調和を図るため、にんにくをゆっくり回転する回転収納とし、多少不均一な空気調和庫内であっても、回転させることにより、万遍な空気、温度及び湿度環境を確保しているところである。【００１３】  上記、回転速度については、にんにく球に傷がつかないよう、低速で回転するようにした。
【産業上の利用の可能性】
【００１４】  醗酵ニンニクは、最近大学や学術研究又は病院の臨床試験により、多様な疾患に効果し、副作用のない理想的な保健食品であることがわかってきた。増え続ける生活習慣病に対応するために、本発明による、大量生産可能な醗酵ニンニク自動醗酵装置は、社会に貢献する可能性が大きい。
【図面の簡単な説明】
【００１５】
【図１】    本発明のにんにく醗酵装置の断面図
【図２】    従来の醗酵装置の断面図
【図３】    従来の醗酵装置の断面図
【符号の説明】
【００１６】  １．ローター
２．バスケット
３．加湿装置
４．加熱装置
５．脱臭装置
６．制御・操作盤
【図１】
2008136468.tif 000002
【図２】
2008136468.tif 000003
【図３】
2008136468.tif 000004
(57)【要約】【課題】針が閉じた状態のイカ角を水中に投げ入れたとき、針が水中で自動的に開くことを可能にすることにより、イカ角投入前や投入時における針と釣り糸の絡まりが無いイカ角を提供する。【解決手段】イカ角本体内部に、空気を保持する窪み体を設けて、イカ角を水中に投入後、窪み体が水中で浮力によって針開閉棒を動かして針を開く。【選択図】図１
2008136465.tif 000002
【特許請求の範囲】
【請求項１】
イカ角本体内部に小穴を有する窪み体を往復運動可能に設け、該窪み体と連動する針開閉棒を設け、針開閉棒の動きによって針先が開いたり閉じたりする針を有することを特徴とするイカ角。
【請求項２】
イカ角本体内部に小穴を有する窪み体を往復運動可能に設け、該窪み体と連動するノック機構を設け、ノック機構を介して該窪み体と連動する針開閉棒を設け、針開閉棒の動きによって針先が開いたり閉じたりする針を有することを特徴とするイカ角。
【発明の詳細な説明】
【発明の詳細な説明】
【技術分野】
【０００１】本発明は、イカ角に関する。
【背景技術】
【０００２】  従来のイカ角は針が傘状に固定されているものや、イカ角本体内部から針を手動で出し入れするものが知られている。（例えば、公開特許公報、特開２００５−２４５３７８）
【発明が解決しようとする課題】
【０００３】  従来のイカ角は、水中に投入する時、針先を開いたまま投入するので、針が釣り糸と絡まりやすいという問題がある。
【課題を解決するための手段】
【０００４】  上記の問題を解決するために、本発明は、イカ角本体内を往復運動する窪み体を設けてあり、イカ角を水中に投入すると、窪み体内の空気の浮力によって窪み体が針開閉棒を動かして針を開く。更にノック機構を設けることで、空気の浮力による針の開きに加えて、イカ角を水中から水面上に引き上げたとき、窪み体内の水の重力によって、窪み体が針開閉棒を動かして針を閉じる。
【発明を実施するための最良の形態】
【０００５】  請求項１に記載の本発明は、イカ角本体内部に、水中で空気を保持するための窪み体を設け、窪み体と連動する針開閉棒を設け、針開閉棒と連動する針つき台座を設けてある。イカ角を水中に投入すると、窪み体内の空気の浮力で窪み体が針開閉棒を押し、針開閉棒に設けた突起が針付き台座を動かして針を開状態にする。窪み体には小さな穴を設けておく。空気は穴から徐々に出ていって無くなる。イカ角を水中から引き上げたと針開閉棒を手動で元に戻せば、針は閉状態になる。【０００６】  請求項２に記載の本発明は、水中では空気を保持し，空気中では水を保持する為の窪み体をイカ角本体内部に設けている。窪み体と連動するノック機構を設け、ノック機構を介して動く針開閉棒を設けている。針開閉棒には針を開く為の突起と針を閉じる為の突起を設けてある。針開閉棒と連動する針付き台座を設けている。イカ角を水中に投入すると、窪み体内の空気の浮力によって窪み体がノック機構を介して針開閉棒を押し、針開閉棒に設けた突起が針付き台座を動かして針を開状態にする。窪み体には小さな穴を開けておく。空気は穴から徐々に出ていって無くなる。イカ角を水中から空気中に引き上げたときには、窪み体内の水の重力によって，窪み体がノック機構を介して針開閉棒を押し、針開閉棒に設けた突起が針台座を動かして針を閉状態にする。
【実施例】
【０００７】  図１は請求項１に記載のイカ角の実施例であり、針が閉じた状態の図である。この実施例について図１を参照して説明すると、イカ角本体１の内部に窪み体２を往復運動可能に設けてある。針６を開くための突起４と、針６を閉じるための突起５を有する針開閉棒３を本体１内に設けてある。針６を取り付けた針台座７を回転可能に本体１に取り付けてある。窪み体２には空気抜きの為の小さな穴を開けてある。【０００８】  図２は請求項２に記載のイカ角の実施例であり、針が閉じた状態の図である。図２を参照して実施例を説明すると、イカ角本体１の内部に窪み体２を往復運動可能に設けてある。窪み体２と連動するノック機構９を設けてある。針６を開くための突起４と、針６を閉じるための突起５を有して、ノック機構と連動する針開閉棒３を本体１内に設けてある。針６を取り付けた針台座７を回転可能に本体１に取り付けてある。窪み体２には空気抜きの為の小さな穴を開けてある。
【発明の効果】
【０００９】  本発明は、以上説明したような形態で実施され、以下に記載されるような効果を発揮する。
【００１０】  本発明のイカ角は、水中に投入する前に針先を閉じておくことができ、針先を閉じたまま投入できるので、投入前や投入時における針先と釣り糸との絡まりをなくすことが出来る。
【図面の簡単な説明】
【００１１】
【図１】請求項１に記載するイカ角の実施例の一部縦断面説明図である。
【図２】請求項２に記載するイカ角の実施例の一部縦断面説明図である。
【符号の説明】
１    本体
２    窪み体
３    針開閉棒
４    針開用突起
５    針閉用突起
６    針
７    針台座
８    釣り糸
９    ノック機構
１０  バネ
【図１】
2008136465.tif 000003
【図２】
2008136465.tif 000004
(57)【要約】【課題】健康食品として利用価値の高いナツメヤシは、まだまだ用途が少ない。ナツメヤシとチョコレートを組み合わせたとても美味しく高級感漂う風味を有し栄養価の高い従来にはない全く新しい魅力的な菓子を提供する。【解決手段】ナツメヤシ２をチョコレート１で包む。ナツメヤシは製菓用の洋酒で漬けたものである。ナツメヤシとチョコレートに含まれる豊富な栄養価が得られる。ナツメヤシは独特の食感、甘味がありチョコレートと交わることで、とても相性の良い美味しい菓子となる。ナツメヤシを洋酒でつけた事で香り良い高級な風味を得られる。【選択図】図１
2008136467.tif 000002
【特許請求の範囲】
【請求項１】
ナツメヤシをチョコレートで包んだ事を特徴とするナツメヤシ入りチョコレート。
【請求項２】
前記ナツメヤシは、製菓用洋酒で漬けたことを特徴とする請求項１記載のナツメヤシ入りチョコレート。
【発明の詳細な説明】
【技術分野】
【０００１】  本発明は、ナツメヤシの新しい利用方法に関する。
【背景技術】
【０００２】  従来のなつめやしは主にドライフルーツとしてそのままの食するか、製パン、製菓、ソースの素材として利用されている。
【発明の開示】
【発明が解決しようとする課題】
【０００３】  しかしながら以上の技術によれば、健康に良い食品で利用価値の高いナツメヤシは、食の健康指向が強まる中、まだまだ用途が少ない。
そこで、この本発明は、ナツメヤシとチョコレートを組み合わせた斬新、且つ美味しく高級感漂う風味を有し栄養価の高い従来にはない全く新しい魅力的な菓子を提供することを課題とする。
【課題を解決するための手段】
【０００４】  以上の課題を解決するために、第一発明は、ナツメヤシをチョコレートで包んだ事を特徴とするナツメヤシ入りチョコレートである。
また、第二発明は、ナツメヤシをチョコレートで包んだ、このナツメヤシは製菓用の洋酒で漬けたものである事を特徴とするナツメヤシ入りチョコレートである。
【発明の効果】
【０００５】  第一発明によれば、ナツメヤシをチョコレート包んだことで、ナツメヤシに含まれる豊富な食物繊維、鉄分、ミネラル（カリウム、マグネシウム、カルシウム）、ビタミン（Ｃ、Ａ、Ｂ１、Ｂ２、ナイアシン）とチョコレートに含まれる豊富なポリフェノール、カカオ、双方の高い栄養価が得られ、又、ナツメヤシは干し柿と似た独特の食感、甘味がありチョコレートと交わることで、とても相性の良い美味しい菓子となる。さらに第二発明によれば、ナツメヤシを洋酒でつけた事で香り良い高級な風味を得られ、又、アルコール成分により防腐効果が得られ長期間の保存が可能となる。
【発明を実施するための最良の形態】
【０００６】  この発明の一実施形態を、図１に示す。
ナツメヤシ２は乾燥したもの（ドライフルーツ）であり、ナツメヤシ２はチョコレート１に包まれている。又ナツメヤシ２は製菓用の洋酒（ラム、ブランデー）で漬けたものが好ましい。
【実施例】業務用チョコレート（スイート又はミルクのクーベルチュール）を使いテンパリング。ナツメヤシ（アメリカ産、中国産、エジプト産等のドライフルーツ）を製菓用の洋酒（ラム、ブランデー）で約半日漬けたものをチョコレート用の型（サイズ：縦３４×横２６×高さ２０（ｍｍ））の縦幅１／３に切りチョコレートを１／３流し込んだ後に入れ、その後残りのチョコレート１／３入れ冷蔵庫にて固める。
【図面の簡単な説明】
【０００７】
【図１】この発明の一実施形態を示す断面図である。
【符号の説明】
【０００８】１  チョコレート            ２  なつめやし
【図１】
2008136467.tif 000003
(57)【要約】      （修正有）【課題】道糸とハリスをつなぐため丸カンを使って仕掛を作っていたが道糸にオモリを付けていたため道糸が板オモリの為に傷ついていた。使っている内に道糸が切れてしまっていた。【解決手段】輪と輪をつなぐ両方ヨリモドシ１,３で、輪の途中で板オモリ７を固定しているので、オモリを道糸に巻かずにすむ。道糸のヨリとハリスのヨリを防ぐことができる。【選択図】図３
2008136473.tif 000002
【特許請求の範囲】
板オモリが巻ける両方ヨリモドシの釣具
【発明の詳細な説明】
【発明の詳細な説明】
この発明は道糸とハリスをつなぐため丸カンを使って仕掛けを作っていたが道糸にオモリを付けていたため道糸が板オモリの為に傷ついていた。
使っている内に道糸が切れてしまっていた。
本発明はその道糸の傷つきを解消したものである。
イ．輪っかと輪っかを継ぐことでオモリを道糸に巻かずにすむ。
ロ．板オモリが固定される。
ハ．道糸を傷つけない
ニ．道糸とハリスを容易に継ぐことができる。
ホ．からまりを防ぐことができる。
ヘ．竿先のリリアンを傷つけない様になった。
ト．道糸のヨリとハリスのヨリを両方ヨリモドシで糸のヨリを防ぐことができる。
チ．板オモリの巾を一定のものにしないで巾の狭いものとか巾の広いものとかを使用できる様になった。
【図面の簡単な説明】▲１▼ヨリモドシ
▲２▼板オモリを巻く所
▲３▼ヨリモドシ
▲４▼ハリス
▲５▼道糸
▲６▼リリアン
▲７▼板オモリ
▲８▼浮キ
2008136473.tif 000003
【手続補正書】
【提出日】平成19年2月24日(2007.2.24)
【手続補正２】
【補正対象書類名】明細書
【補正対象項目名】全文
【補正方法】変更
【補正の内容】
【発明の詳細な説明】
【発明の詳細な説明】
この発明は道糸とハリスをつなぐため．丸カンを使って仕掛を作っていたが道糸にオモリを付けていたため道糸が板オモリの為に傷ついていた。使っている内に道糸が切れてしまっていた。本発明はその道糸の傷つきを解消したものである。
イ．輪っかと輪っかを継ぐことでオモリを道糸に巻かずにすむ。
ロ．板オモリが固定される。
ハ．道糸を傷つけない。
ニ．道糸とハリスを容易に継ぐことができる。
ホ．からまりを防ぐことができる。
ヘ．竿先のリリアンを傷つけない様になった。
ト．道糸のヨリとハリスのヨリを両方ヨリモドシで糸のヨリを防ぐことができる。
チ．板オモリの巾を一定のものにしないで巾の狭いものとか巾の広いものとかを使用できる様になった。
2008136473.tif 000004
2008136473.tif 000005
【符号の説明】
▲１▼ヨリモドシ
▲２▼板オモリを巻く所
▲３▼ヨリモドシ
▲４▼ハリス
▲５▼道糸
▲６▼リリアン
▲７▼板オモリ
▲８▼浮キ
▲９▼両方ヨリモドシ
【手続補正３】
【補正対象書類名】図面
【補正対象項目名】全図
【補正方法】変更
【補正の内容】
【図１】
2008136473.tif 000006
【図２】
2008136473.tif 000007
【図３】
2008136473.tif 000008
(57)【要約】      （修正有）【課題】ハリスのからまりを防ぐ。【解決手段】従来釣具の道糸とハリスを結ぐため丸カンを使って仕掛けを作っていた。両方ヨリモドシを使ってテンビンを付け、ハリスのからまりを防ぐことができる。テンビンで道糸の平行が取れ道糸とハリスを長もちさせることができる。【選択図】図２
2008136474.tif 000002
【特許請求の範囲】
テンビン付両方ヨリモドシの釣具
【発明の詳細な説明】
【発明の詳細な説明】
この発明は釣具の道糸とハリスを結ぐため丸カンを使って仕掛けを作っていた。両方ヨリモドシを使ってテンビンを付けたものである。ハリスのからまりを防ぐことができる。今まで丸カンを使って２本のハリスを結んでいたがハリス同志でからまっていたのを解消したものである。
（イ）ハリス同志で糸がからまない
（ロ）丸カンで手まどっていたハリス付けがテンビンを使うため仕掛けを作るのに容易になった。
（ハ）テンビンで道糸の平行が取れ道糸とハリスを長もちさせることができる。
（ニ）えさ付けが容易になる。
【図面の簡単な説明】▲１▼ヨリモドシ
▲２▼ヨリモドシ
▲３▼テンビン
▲４▼輪っか
▲５▼道糸
▲６▼ハリス
▲７▼板オモリ
2008136474.tif 000003
【手続補正書】
【提出日】平成19年3月2日(2007.3.2)
【手続補正２】
【補正対象書類名】明細書
【補正対象項目名】全文
【補正方法】変更
【補正の内容】
【発明の詳細な説明】
【発明の詳細な説明】
この発明は、釣具の道糸とハリスを結ぐため丸カンを使って仕掛けを作っていた。両方ヨリモドシを使ってテンビンを付けたものである。ハリスのからまりを防ぐことができる。今まで丸カンを使って２本のハリスを結んでいたがハリス同志でからまっていたのを解消したものである。（イ）ハリス同志で糸がからまない（ロ）丸カンで手まどっていたハリス付けがテンビンを使うため仕掛けを作るのに容易になった。（ハ）テンビンで道糸の平行が取れ道糸とハリスを長もちさせることができる。（ニ）えさ付けが容易になる。
【図面の簡単な説明】
【図１】
2008136474.tif 000004
【図２】
2008136474.tif 000005
【符号の説明】
▲１▼ヨリモドシ▲２▼ヨリモドシ▲３▼テンビン▲４▼輪っか▲５▼道糸▲６▼ハリス▲７▼板オモリ
【手続補正３】
【補正対象書類名】図面
【補正対象項目名】全図
【補正方法】変更
【補正の内容】
【図１】
2008136474.tif 000006
【図２】
2008136474.tif 000007
【手続補正書】
【提出日】平成19年5月11日(2007.5.11)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【発明の詳細な説明】
この発明は釣具の道糸とハリスを結ぐため丸カンを使って仕掛けを作っていた。両方ヨリモドシを使ってテンビンを付けたものである。ハリスのからまりを防ぐことができる。今まで丸カンを使って２本のハリスを結んでいたがハリス同志でからまっていたのを解消したものである。
（イ）ハリス同志で糸がからまない。
（ロ）丸カンで手まどっていたハリス付けがテンビンを使うため仕掛けを作るのに容易になった。
（ハ）テンビンで道糸の平行が取れ道糸とハリスを長もちさせることができる。
（ニ）えさ付けが容易になる。
【図面の簡単な説明】
【図１】平面図  テンビン付両方ヨリモドシ
【図２】全体図
【符号の説明】
▲１▼  ヨリモドシ
▲２▼  ヨリモドシ
▲３▼  テンビン
▲４▼  輪っか
▲５▼  道糸
▲６▼  ハリス
▲７▼  板オモリ
(57)【要約】  【課題】  どのような地震が来ても、家具の転倒やズレを防止することができる転倒防止具を提供する。【解決手段】  転倒防止具１は、その本体が、弾性体で形成されるとともに円盤状に形成され、軸方向Ｂの両端面１０，１０が、その両端面１０，１０の周囲縁部１２，１２に比べて中央部分１４，１４が凹んだ凹面形状に形成されている。この転倒防止具１をパソコン等の家具５と床３の間に挟むと、本体の両面が吸盤となり、この転倒防止具１が床３と家具５に対して固定される。しかも、この本体は円盤状の太い胴体の弾性体で形成されているので、地震が来た場合、この転倒防止具１が免震機能を発揮し、床３から家具５への振動の伝達を抑える。従って、この転倒防止具１を用いてパソコン５その他の家具を床３に固定すると、どのような地震が来ても、家具の転倒やズレを防止することができる。【選択図】  図１
2008136585.tif 000002
【特許請求の範囲】
【請求項１】
弾性体で形成されるとともに円盤状に形成された本体の軸方向の両端面が、その両端面の周囲縁部に比べて中央部分が凹んだ凹面形状に形成されていることを特徴とする転倒防止具。
【発明の詳細な説明】
【技術分野】
【０００１】
本発明は、床やテーブルや机等に置かれた家具やコンピュータ、テレビ等を、地震時に倒れることを防止する転倒防止具に関する。
【背景技術】
【０００２】
従来より、床やテーブルや机等に置かれた家具やコンピュータ、テレビ等を、地震時に倒れることを防止する様々な転倒防止具がある。この転倒防止具としては、代表的なものとしては、平板状のゴム材を用いたものである。
【０００３】
この平板状のゴム材からなる転倒防止具は、家具下面の手前側と床との間に挟んで使用する。このようにすると、家具が壁側に倒れかかるので、地震が来ても家具が手前側に倒れることがない。また、この転倒防止具は、ゴム材で形成されているので、家具の設置位置がずれることを防止することができる。
【発明の開示】
【発明が解決しようとする課題】
【０００４】
しかし、従来の転倒防止具は、単に家具と床との間に挟んで使用するだけであったので、数年数十年に一度というような大規模な地震が来た場合は、家具の転倒を防止できなかったり、家具のズレを防止できない恐れがある。
【０００５】
そこで本発明では、上述した問題点を解決し、どのような地震が来ても、家具の転倒やズレを防止することができる転倒防止具を提供することを目的とする。
【課題を解決するための手段】
【０００６】
上述した問題を解決するためになされた発明である請求項１に記載の転倒防止具は、弾性体で形成されるとともに円盤状に形成された本体の軸方向の両端面が、その両端面の周囲縁部に比べて中央部分が凹んだ凹面形状に形成されていることを特徴とする。
【０００７】
この転倒防止具を家具と床との間に挟むと、本体の両面が吸盤となり、この転倒防止具が床と家具に対して固定される。しかも、家具の重みによって、転倒防止具と床及び家具とが強力に吸着され、家具が床に対して強く固定される。
【０００８】
そしてこの本体は円盤状の太い胴体の弾性体で形成されているので、地震が来た場合、この転倒防止具が免震機能を発揮し、床から家具への振動の伝達を抑える。
従って、この転倒防止具を用いて家具を床に固定すると、どのような地震が来ても、家具の転倒やズレを防止することができる
【発明を実施するための最良の形態】
【０００９】
以下、本発明が適用された実施形態について説明する。
ここで、図１は、本実施形態の転倒防止具１の説明図で、（ａ）は斜視図、（ｂ）は（ａ）のＡ−Ａ’断面の断面図である。図２は、床と家具との間に転倒防止具１を挟んだ様子を説明するための説明図で、転倒防止具１については、図１の（ａ）のＡ−Ａ’断面の断面図である。
【００１０】
本実施形態の転倒防止具１は、図１（ａ）に示すように、その本体が、弾性体で形成されるとともに円盤状に形成されている。弾性体としては、従来より転倒防止用に用いられていたゴムでもよいし、どのようなものをもちいてもよい。例えば、エチレンプロペレンモノマーゴム（ＥＰＤＭ）、軟質塩化ビニル樹脂、軟質シリコン樹脂等をもちいてもよい。
【００１１】
そして、本実施形態の転倒防止具１は、図１（ｂ）に示すように、軸方向Ｂの両端面１０，１０が、その両端面１０，１０の周囲縁部１２，１２に比べて中央部分１４，１４が凹んだ凹面形状に形成されている。
【００１２】
この転倒防止具１をパソコン等の家具５と床３の間に挟むと、図２に示すように、本体の両面が吸盤となり、この転倒防止具１が床３と家具５に対して固定される。しかもこのとき転倒防止具１の軸方向に沿った側面部分１６，１６が弓なりに変形して、より強力に床３及び家具５に対して吸着される。加えて、家具の重みによって、転倒防止具１と床３及びパソコン５とが強力に吸着され、パソコン５が床３に対して強く固定される。
【００１３】
そしてこの本体は円盤状の太い胴体の弾性体で形成されているので、地震が来た場合、この転倒防止具１が免震機能を発揮し、床３から家具５への振動の伝達を抑える。加えて、この転倒防止具１は、両端面１０，１０と略同じ太さの胴体を有するので、両端面の間で千切れることなく、床３とパソコン５とをしっかりと固定する。
【００１４】
従って、この転倒防止具を用いてパソコン５その他の家具を床３に固定すると、どのような地震が来ても、家具の転倒やズレを防止することができる
尚、転倒防止の対象となる家具としては、上述したパソコンの他に、タンスや、机、花瓶、その他どのようなものでもよい。
【００１５】
以上、本発明の実施形態について説明したが、本発明は、特許請求の範囲に記載された発明の趣旨に合致するものであればよく、上述の実施形態に限定されるものではない。
【図面の簡単な説明】
【００１６】
【図１】本実施形態の転倒防止具１の説明図で、（ａ）は斜視図、（ｂ）は（ａ）のＡ−Ａ’断面の断面図である。
【図２】床と家具との間に転倒防止具１を挟んだ様子を説明するための説明図で、転倒防止具１については、図１の（ａ）のＡ−Ａ’断面の断面図である。
【符号の説明】
【００１７】
１…転倒防止具、３…床、５…パソコン（家具）、１０…両端面、１２…周囲縁部、１４…中央部分、１６…側面部分
【図１】
2008136585.tif 000003
【図２】
2008136585.tif 000004